(57)【要約】【課題】容易にかつ確実に、内蓋の取り外しができる炊飯器を提供することを目的とする。【解決手段】炊飯器本体１に回動自在に軸支された蓋３は、非装着時に蓋３の軸支側において内蓋４を蓋３に対して所定開度傾斜した状態で係止する係止手段１５と、蓋３の反軸支側において内蓋４を蓋３の内側に装着固定する内蓋固定手段１２とを有するとともに、係止手段１５を鍋２側に向けて独立して回転動作するように蓋３に軸支したものである。これによって、内蓋固定手段１２を開放すると、内蓋４は係止手段１５を支点に回転移動して蓋３から外れ所定開度で自立するので、この状態で内蓋４を手前に引くと、係止手段１５自体が回転して、蓋３と内蓋４間の開度がさらに広がり、内蓋４を手前に引き抜くことで、内蓋４を係止手段１５よりスムーズに取り外すことができる。【選択図】図１
2008104560.tif 000002
【特許請求の範囲】
【請求項１】
炊飯器本体に着脱自在に収容される鍋と、前記鍋を加熱する加熱手段と、前記炊飯器本体に回動自在に軸支された蓋と、前記蓋の内側に装着され閉蓋時に鍋の開口部を覆う内蓋とを備え、前記蓋は、非装着時に蓋の軸支側において内蓋を蓋に対して所定開度傾斜した状態で係止する係止手段と、蓋の反軸支側において内蓋を蓋の内側に装着固定する内蓋固定手段とを有するとともに、前記係止手段を鍋側に向けて独立して回転動作するように蓋に軸支した炊飯器。
【請求項２】
回転動作する係止手段は、位置固定手段により所定開度で固定するようにした請求項１に記載の炊飯器。
【請求項３】
位置固定手段は、ラッチ機構である請求項２に記載の炊飯器。
【請求項４】
回転動作する係止手段は、逆回転手段により所定開度での固定状態から蓋側に向けて逆回転するようにした請求項１〜３のいずれか１項に記載の炊飯器。
【請求項５】
逆回転手段は、弾性手段である請求項４に記載の炊飯器。
【請求項６】
逆回転手段は、磁性手段である請求項４に記載の炊飯器。
【発明の詳細な説明】
【技術分野】
【０００１】
本発明は、閉蓋時に鍋の開口部を覆う内蓋を有した炊飯器に関するものである。
【背景技術】
【０００２】
従来、この種の炊飯器において、使用者が片手で内蓋を容易に取り外すことができるようにして取り扱いの向上をはかったものが提案されている（例えば、特許文献１参照）。
【０００３】
これは、図８に示すように、炊飯器本体３１に、鍋３２と、鍋３２の開口部を覆う蓋３３と、蓋３３の内側に着脱自在に固定された内蓋３４とを備えている。蓋３３は、内蓋３４を蓋３３に固定する内蓋固定手段３６と、内蓋３４の後端部を収納するよう後方へ凹んだ溝状の収納部３５と、蓋３３の開閉軸であるヒンジ軸３７とを備えている。内蓋３４は、蓋３３が閉状態であるとき鍋３２と密接する内蓋パッキン３８を外周に備えており、また図に示すような蓋３３の開状態において内蓋固定手段３６を解除すると、内蓋３４の後端部が収納部３５に収納された状態で、矢印Ｘの方向へ自重により鍋３２側へ傾斜する。収納部３５は内蓋３４が所定の開度まで傾いたときに、内蓋３４の鍋側後端部３４ａと蓋側後端部３４ｂに当接し内蓋３４を係止する収納部突起３５ａ、３５ｂを有している。
【０００４】
以上のような構成により、内蓋３４を取り外す際は、内蓋固定手段３６による内蓋３４の固定を解除すると内蓋３４は自重により鍋３２側へ倒れ、鍋側後端部３４ａが突起３５ａに当接しながら鍋３２側へ回転移動し、蓋側後端部３４ｂが突起３５ｂに当接すると蓋３３に対して所定の開度で自立する。これにより、内蓋３４は内蓋固定手段３６が解除された途端に蓋３３から離れて鍋３２上や床に落下することはないため、片手で内蓋固定手段３６の固定を解除するときにもう一方の手で内蓋３４を支えておく必要がなく、内蓋固定手段３６を解除して内蓋３４を自立させた後、蓋３３から取り外すことができ、内蓋３４を蓋３３から容易に片手で取り外すことができる。また、取り外した内蓋３４を蓋３３に取り付けるには、矢印Ｙ方向に差し込むことで取り付けが可能となる。
【特許文献１】特開２００２−９５５８０号公報
【発明の開示】
【発明が解決しようとする課題】
【０００５】
しかしながら、前記従来の構成では、内蓋固定手段３６を解除して蓋３３に対して所定の開度で内蓋３４を自立させる場合、蓋３３と内蓋３４間の開度を広くとると、自立状態では、内蓋３４を抜きとり易くなる。しかし一方で、内蓋３４の回転移動時には勢いがつくため、その勢いで内蓋３４が鍋３２側に向けて脱落しやすくなり、また、使用者に向かって内蓋３４が倒れてくることになるため、初めて使用する場合には、心理的にも不安になるなど、不快な思いをするという課題があった。また、逆に蓋３３と内蓋３４間の開度を狭くとると、意図的に内蓋３４を上方へ引き抜かないと外せないため、使い勝手が悪くなり、また誤って内蓋３４を取り外すときに手前に引いた場合には、内蓋３４の後端部や、収納部３５を破損してしまう恐れがあるという課題があった。
【０００６】
本発明は、前記従来の課題を解決するもので、容易にかつ確実に、内蓋の取り外しができる炊飯器を提供することを目的とする。
【課題を解決するための手段】
【０００７】
前記従来の課題を解決するために、本発明の炊飯器は、炊飯器本体に着脱自在に収容される鍋と、前記鍋を加熱する加熱手段と、前記炊飯器本体に回動自在に軸支された蓋と、前記蓋の内側に装着され閉蓋時に鍋の開口部を覆う内蓋とを備え、前記蓋は、非装着時に蓋の軸支側において内蓋を蓋に対して所定開度傾斜した状態で係止する係止手段と、蓋の反軸支側において内蓋を蓋の内側に装着固定する内蓋固定手段とを有するとともに、前記係止手段を鍋側に向けて独立して回転動作するように蓋に軸支したものである。
【０００８】
これによって、内蓋固定手段を開放すると、内蓋は係止手段を支点に回転移動して蓋から外れ蓋に対して所定開度で自立するので、この状態で内蓋を手で掴み、手前に引くと、係止手段自体が回転して、蓋と内蓋間の開度がさらに広がり、続けて内蓋を手前に引き抜くことで、内蓋の後端部が係止手段よりスムーズに外れて、内蓋を蓋から取り外すことができる。
【発明の効果】
【０００９】
本発明の炊飯器は、内蓋が二段階に回転動作し、容易にかつ確実に、内蓋の取り外しができる。
【発明を実施するための最良の形態】
【００１０】
第１の発明は、炊飯器本体に着脱自在に収容される鍋と、前記鍋を加熱する加熱手段と、前記炊飯器本体に回動自在に軸支された蓋と、前記蓋の内側に装着され閉蓋時に鍋の開口部を覆う内蓋とを備え、前記蓋は、非装着時に蓋の軸支側において内蓋を蓋に対して所定開度傾斜した状態で係止する係止手段と、蓋の反軸支側において内蓋を蓋の内側に装着固定する内蓋固定手段とを有するとともに、前記係止手段を鍋側に向けて独立して回転動作するように蓋に軸支した炊飯器とするものである。これによって、内蓋固定手段を開放すると、内蓋は係止手段を支点に回転移動して蓋から外れ蓋に対して所定開度で自立するので、この状態で内蓋を手で掴み、手前に引くと、係止手段自体が回転して、蓋と内蓋間の開度がさらに広がり、続けて内蓋を手前に引き抜くことで、内蓋の後端部が係止手段よりスムーズに外れて、内蓋を蓋から取り外すことができる。
【００１１】
第２の発明は、特に、第１の発明において、回転動作する係止手段は、位置固定手段により所定開度で固定するようにしたことにより、開放した内蓋を、係止手段を回転動作させてさらに開放開度を広げる際に、内蓋を係止手段より引き抜き易い開度に、位置固定手段を介して一時固定することができるため、使用者は内蓋の開放開度を余分に拡げる必要が無く、内蓋の脱着性をより向上させることができる。
【００１２】
第３の発明は、特に、第２の発明において、位置固定手段は、ラッチ機構であることにより、構造がシンプルであるため、機構の収納スペースが狭い炊飯器にも搭載しやすく、また繰り返し使用による動作信頼性も高いものである。
【００１３】
第４の発明は、特に、第１〜第３のいずれか１つの発明において、回転動作する係止手段は、逆回転手段により所定開度での固定状態から蓋側に向けて逆回転するようにしたことにより、取り外した内蓋を係止手段に取り付け、内蓋を蓋側に向けて所定の力を掛けて押すと、バランスポイントを超えて、内蓋が自動で蓋側に回転移動するため、内蓋の取り付けをより簡単に実施することができる。なお、逆回転手段を設けることで、内蓋を取り外す際、内蓋を手前に引き過ぎた場合でも、逆回転手段により、再び蓋側に回転移動して、一時固定位置に固定されるため、常に係止手段を、内蓋が脱着しやすい位置に保持することもできる。
【００１４】
第５の発明は、第４の発明において、逆回転手段は、弾性手段であることにより、バネやエラストマーなどを逆回転手段として用い、弾性力を調整することで、係止手段の蓋側への逆回転に掛かる力を調整することができる。
【００１５】
第６の発明は、第４の発明において、逆回転手段は、磁性手段であることにより、逆回転手段自体が非可動の手段であるため、繰り返し動作による逆回転力の変化がなく、長期に渡って逆回転作用を維持することができる。
【００１６】
以下、本発明の実施の形態について、図面を参照しながら説明する。なお、この実施の形態によって本発明が限定されるものではない。
【００１７】
（実施の形態１）
図１、図２は、本発明の実施の形態１における炊飯器を示している。
【００１８】
図１において、炊飯器本体１は、着脱自在に収容した有底略円筒形の鍋２と、軸支部３ａで回動自在に軸支された蓋３と、蓋３の内側に着脱自在に装着され閉蓋時に鍋２の開口部を覆う内蓋４と、鍋２を加熱する誘導加熱コイルなどの加熱手段５と、鍋２の温度を測定するための温度センサーからなる温度検知手段６と、制御手段７とを備えている。
【００１９】
蓋３には、鍋２内の余分な蒸気を炊飯器本体１外へと排出するための蒸気筒８と、内蓋４の温度を検知する温度センサーからなる蓋温度検知手段９と、内蓋４を誘導加熱するコイルなどの内蓋加熱手段１０とが設置されている。
【００２０】
また、蓋３は、図に示すとおり、炊飯器本体１に対して略９０度に開放された状態において、内蓋４の蓋３への非装着時に内蓋４を蓋３に対して所定開度Ａ（例えば２０度）傾斜した状態で係止する係止手段１５を蓋３の軸支側に有する。また、蓋３の反軸支側には、内蓋４を蓋３の内側に装着固定する内蓋固定手段１２と、蓋３を炊飯器本体１に固定するフック１３とを有する。内蓋固定手段１２はバネ１２ａとこれによって付勢されたフック１２ｂからなり、このフック１２ｂは、バネ１２ａと同期する解除手段１４が操作されることによりスイングし、内蓋４の前端部付近にある内蓋固定部４ａの固定や解除が可能となっている。
【００２１】
内蓋４を係止する係止手段１５は、蓋３に設置した台座１６に対して回転軸１５ｄにより軸支され、鍋２側に向けて独立して回転動作するようにしている。
【００２２】
なお、内蓋４は蓋３を閉じた状態で鍋２と密接する弾性体からなる略環状の内蓋パッキン１１をその外周に備えており、内蓋４の一部は誘導加熱が可能なステンレスなどの金属からなっている。図２は、内蓋４が蓋３の内側に装着された状態を示している。
【００２３】
次に、図３、図４により、係止手段１５周辺の構成について詳述する。
【００２４】
係止手段１５は、開状態の蓋３の下部（軸支側）に設置した台座１６に設置されており、略溝形状の凹部１５ｃと、凹部１５ｃの鍋側突起部である凹部鍋側前端部１５ａと、凹部１５ｃの蓋側突起部である溝状の蓋係止部１５ｂとを有している。また、係止手段１５は、凹部鍋側前端部１５ａ側近傍に、蓋３の軸支部３ａと平行の回転軸１５ｄを設けており、台座１６の軸受けに組み込まれ、図３（ａ）の開度Ａから図３（ｂ）の開度Ｂのように、回転軸１５ｄを中心に鍋２側に前傾回転させることができる。
【００２５】
この回転動作について、台座１６周辺を拡大した図４を用いて説明する。台座１６内には、バネ１７で付勢された位置固定ピン１８が組み込まれており、位置固定ピン１８の先端は、係止手段１５に対向する台座１６の回転摺動面に可動突出している。一方、係止手段１５側の位置固定ピン１８が接触する摺動面には、位置固定ピン１８の先端が嵌合する嵌合部１９が所定位置に複数個設けられており、係止手段１５を前傾回転させると、位置固定ピン１８の先端が嵌合部１９と嵌合し、図４（ａ）の状態から図４（ｂ）に示すように、所定の回転開度で固定されることとなる。すなわち、バネ１７、位置固定ピン１８、嵌合部１９によるラッチ機構により係止手段１５の位置固定手段を構成しており、これにより係止手段１５を所定開度で固定するようにしている。
【００２６】
なお、固定された係止手段１５への外部からの回転力がバランスポイント（所定のレベル）を超えると、位置固定ピン１８の嵌合が解除され、回転動作が再開できるように、位置固定ピン１８の先端と嵌合部１９は曲面で構成されている。このように係止手段１５に加えられた所定レベル以上の回転力により、位置固定ピン１８を台座１６に押し込む力が働く構成であると、スムーズに係止手段１５の位置固定および解除ができるので良い。
【００２７】
ここで、図１に示すように、蓋３が開状態にある場合、内蓋固定手段１２を解除すると、内蓋４は自重により鍋２側すなわち矢印Ｘの方向へ倒れ、図３に示す内蓋後端部４ｂが凹部鍋側前端部１５ａと当接し、フック形状の蓋側後端部４ｃが蓋係止部１５ｂと係止し合うと、内蓋４はそれ以上倒れなくなり、蓋３に対して開度Ａ（例えば２０度）に傾斜した状態で係止し自立することとなる。この係止状態から、内蓋４を手前に力を加えて引くと、位置固定ピン１８が解除され、係止手段１５が、回転軸１５ｄを中心に前傾回転し、別の嵌合部１９に位置固定ピン１８が嵌合することで、内蓋４は、図５に示すように開度Ｂ（例えば４５度）まで蓋に対する開放開度を拡大し、再度係止することとなる。このように、内蓋４は二段階に回転動作するものである。
【００２８】
以上のように構成された炊飯器について、以下その動作、作用について説明する。
【００２９】
まず、鍋２内に所定の米と水をセットし、炊飯開始ボタン（図示せず）を押下することで、炊飯工程が開始される。炊飯工程は、水を一定温度に保って米に水を吸収させる浸せき工程、鍋２を加熱手段５により一気に加熱し、鍋２内の水を沸騰状態にする炊き上げ工程、鍋２内の水がほとんどなくなった状態で加熱を抑える蒸らし工程からなり、これらの工程の間に米の糊化を進めて炊飯する。制御手段７は温度検知手段６により鍋２の温度に応じて最適に加熱手段５を制御し、あらかじめ決められた炊飯シーケンスに従って炊飯を行う。炊飯シーケンスは米の種類などによって複数のコースが準備されている。この蒸らし工程が終了すると炊飯が終了し、自動的に保温工程へと移行し、炊き上がったご飯の温度が低下しないようにして、使用者がいつでも温かいご飯を得られる。
【００３０】
炊飯開始ボタン（図示せず）を押下して炊飯が開始されると、まず米に水を吸収させる浸せき工程が始まる。制御手段７は、加熱手段５により鍋２を加熱し、鍋２内の水の温度を温度検知手段６によって検知し、米の糊化が始まらない温度（約６０℃未満）に調整して米の吸水を促進する。
【００３１】
炊き上げ工程では、米に水と熱を加えて糊化を進行させる。制御手段７は、加熱手段５を動作させて鍋２を急速に加熱し、鍋２内の水を沸騰状態とする。このとき連続的に沸騰が生じて蒸気が大量に発生するが、内蓋４が内蓋装着位置に固定されていると内蓋パッキン１１が鍋２と密接するため、蒸気は蒸気筒８を通り、炊飯器本体１外へと放出される。しかし、内蓋４の位置にずれが生じていると、内蓋パッキン１１と鍋２との接し方にばらつきが生じ、密接度合の強い部分と弱い部分が生じてしまう。このような場合、蒸気筒８の開口面積が十分大きくないと、内蓋パッキン１１と鍋２との密接度合の弱い部分から蒸気が漏れだす恐れがある。
【００３２】
蒸らし工程では、米に付着した余分な水分を蒸散させながら、鍋２内を高温状態（約１００℃の状態）に維持して糊化をさらに進展させる。制御手段７は、温度検知手段６の温度を確認して、鍋２内を高温状態に維持するために鍋２の温度が一定温度以下に下がると、加熱手段５を動作させて鍋２を加熱する。
【００３３】
炊飯後に内蓋４のお手入れをする際は、使用者は蓋３を開状態にし、内蓋固定手段１２による内蓋４の固定を解除すると、内蓋４は矢印Ｘの方向へ、係止手段１５の凹部鍋側前端部１５ａを支点に回転移動し、所定開度Ａ（例えば２０度）まで傾斜すると自立する（図１の状態）。
【００３４】
使用者は、内蓋４が倒れてくる回転動作を視覚的に認識するが、回転開度は蓋３に対して２０度と僅かであり、内蓋４の移動の勢いが小さいため、慌てて手で内蓋４を支えたり、驚いたりすることはない。開度Ａの状態で、係止手段１５から内蓋４を取り外す際、意識的に内蓋４を炊飯器本体１に対して上方に引き抜く動作を強いられ、腕、手首への負担が大きくなる。
【００３５】
そこで、内蓋４をさらに手前に所定の力を加えて引くと、係止手段１５が回転軸１５ｄを軸に前傾回転し、所定開度Ｂ（例えば４５度）で位置固定される（図５の状態）。この状態であれば、内蓋４の蓋側後端部４ｃと蓋係止部１５ｂの係止を外し、炊飯器本体１の手前方向となる矢印Ｙの方向に引くと、自然に内蓋４を係止手段１５から外すことができ、腕、手首への負担も軽減できることとなる。
【００３６】
次に、使用者がお手入れした後あるいは炊飯する前などに、内蓋４を蓋３に取り付ける際には、図５に示すように係止手段１５は、前傾回転したまま固定されているので、内蓋４の後端部を矢印Ｙと逆方向から係止手段１５に差し込み手を放すと、内蓋４は自重で凹部鍋側前端部１５ａを中心に少し回転し、蓋側後端部４ｃと蓋係止部１５ｂが係止すると自立する。その状態で内蓋４を蓋３の内蓋装着位置に向けて押すと、係止手段１５は、回転軸１５ｄを軸に蓋３側へ回転し、最終的には、内蓋固定部４ａが内蓋固定手段１２のフック１２ｂに保持されることで固定保持される。
【００３７】
また、本実施の形態の炊飯器を初めて使用する際、内蓋固定手段１２を解除した状態の内蓋４を、むりやり手前に倒した場合でも、係止手段１５の回転機構が働くため、内蓋４の後端部に掛かる荷重を逃がすことができ、後端部や係止手段１５の部材が折れるなどの破損を抑制することもできる。
【００３８】
なお、係止手段１５、台座１６、位置固定ピン１８の材質は、樹脂、金属などの素材で構成するのが好ましく、特に、樹脂素材であれば、複雑な形状も成型しやすいためより好ましく、中でも耐熱性、剛性の観点から、ナイロン、ＰＰＳなどのエンプラ系素材であればなおよい。
【００３９】
以上のように、本実施の形態においては、内蓋４を二段階に回転動作させることができるため、内蓋固定手段１２の解除時に内蓋４が倒れてくる不安や、内蓋４が脱落することがなく、また、内蓋４を手で取り外すときの破損も防ぐことができるので、内蓋４の着脱性を向上させることができる。
【００４０】
（実施の形態２）
図６、図７は、本発明の実施の形態２における炊飯器の係止手段を示している。炊飯器構成は、実施の形態１と同様であるためその説明は省略する。
【００４１】
図６は、係止手段１５の回転軸１５ｄを支点に、係止手段１５と台座１６に接合する形で弾性手段２０が設置されている。弾性手段２０は、係止手段１５を蓋３側に向けて回転させる逆回転手段を構成しており、一方向にテンションが掛かかるように設置している。
【００４２】
なお、弾性手段２０の弾性力は、係止手段１５が鍋２側へ前傾回転して、位置固定している状態の時の保持力より小さくなるように設定し、内蓋４を係止中に不用意に、蓋３側に移動しないようにする。
【００４３】
また、弾性手段２０としては、図に示すようなピンタイプのバネや、コイルバネ、またエラストマーなどの樹脂弾性手段を用いてもよい。
【００４４】
以上のように構成された炊飯器については、内蓋４を係止手段１５に取り付けて、蓋３方向に押していくと、一定の力が加わった時点で、弾性手段２０の弾性力により内蓋４が、自動で蓋３側に回転移動する。使用者は、移動後の内蓋４を内蓋固定手段１２に固定するだけでよく、取り付け動作を減らすことができる。
【００４５】
また、図７は、係止手段１５と台座１６の対向面にそれぞれ凹部を設け、磁性手段２１を設置したものであり、これにより逆回転手段を構成しており、図６と同様に係止手段１５が蓋３側へ移動する力を持たせることができ、また磁性手段２１自体は、係止手段１５の移動の繰り返しによる部品消耗が起きないため、長期に渡って動作機能を持続できる。
【００４６】
なお、磁性手段２１としては、フェライト系磁石、エラストマー素材磁石などを用い、必要な磁力に応じて素材を選択するとよい。
【００４７】
以上のように、本実施の形態の炊飯器は、取り外した内蓋４を、係止手段１５に取り付け、内蓋４を蓋３側に向けて押すと、一定の力が加わった時点で、内蓋４が自動で蓋３側に回転移動するため、内蓋４の取り付けをより簡単に実施することができる。
【００４８】
なお、弾性手段２０などの逆回転手段を設けることで、内蓋４を取り外す際、内蓋４を手前に引き過ぎた場合でも、逆回転手段により、再び蓋３側に回転移動して、一時固定位置に固定されるため、常に係止手段１５を、内蓋４が脱着しやすい位置に保持することもできる。
【００４９】
なお、係止手段１５は略溝形状でなくとも、内蓋４を一定開度に保持できればよく、例えば、内蓋４に溝形状があるとともに係止手段１５が突起形状であってもよいし、係止手段１５が穴形状やフック形状など他の形状でもよい。
【産業上の利用可能性】
【００５０】
以上のように、本発明にかかる炊飯器は、内蓋の着脱時の操作性を向上するものであるので、回転開閉する蓋と蓋に着脱自在に固定される内蓋を有する他の機器の用途にも適用できる。
【図面の簡単な説明】
【００５１】
【図１】本発明の実施の形態１における炊飯器の内蓋が係止状態である場合の断面図
【図２】同炊飯器の内蓋を蓋に装着した状態の断面図
【図３】（ａ）同炊飯器における係止手段周辺の要部断面図（ｂ）同炊飯器の係止手段が前傾回転時の要部断面図
【図４】（ａ）同炊飯器の係止手段と台座の要部拡大断面図（ｂ）同炊飯器の前傾回転時の係止手段と台座の要部拡大断面図
【図５】同炊飯器の係止手段を前傾回転させて内蓋を係止した状態の断面図
【図６】本発明の実施の形態２における弾性手段を設置した係止手段と台座の要部拡大断面図
【図７】同炊飯器の炊飯器の磁性手段を設置した係止手段と台座の要部拡大断面図
【図８】従来の炊飯器の断面図
【符号の説明】
【００５２】
１  炊飯器本体
２  鍋
３  蓋
３ａ  軸支部
４  内蓋
５  加熱手段
１１  内蓋パッキン
１２  内蓋固定手段
１５  係止手段
１５ｄ  回転軸
１６  台座
２０  弾性手段（逆回転手段）
２１  磁性手段（逆回転手段）
【図１】
2008104560.tif 000003
【図２】
2008104560.tif 000004
【図３】
2008104560.tif 000005
【図４】
2008104560.tif 000006
【図５】
2008104560.tif 000007
【図６】
2008104560.tif 000008
【図７】
2008104560.tif 000009
【図８】
2008104560.tif 000010